(57)【特許請求の範囲】
【請求項１】
水道水栓パイプ(1) の水道水を本フィルタ(2) に通し、後処理フィルタ(3) に導き、前記本フィルタ(2) および前記後処理フィルタ(3) によって前記水道水を浄化する浄水器であって、前記後処理フィルタ(3) と一体の円筒状の弁体(4) を水平に配置されるケーシング(5) の内孔に挿入するとともに、前記ケーシング(5) に第１および第２軸方向位置(X1),(X2) を選定し、前記ケーシング(5) の第１軸方向位置(X1)において、その上壁に第１入口ポート(8) を形成し、下壁に第１出口ポート(13)を形成し、前記ケーシング(5) の第２軸方向位置(X2)において、その上壁に第２入口ポート(9) を形成し、下壁に第２出口ポート(14)を形成し、前記第１および第２入口ポート(8),(9) と前記第１および第２出口ポート(13),(14) を互いに１８０°の角度間隔を置いて前記ケーシング(5) の内孔に開口させ、さらに、前記ケーシング(5) の第１軸方向位置(X1)において、その一側壁に第１接続ポート(17)を形成し、前記ケーシング(5) の第２軸方向位置(X2)において、その一側壁に第２接続ポート(18)を形成し、他側壁に第３出口ポート(23)を形成し、前記第１および第２接続ポート(17),(18) および前記第３出口ポート(23)を前記第１および第２入口ポート(8),(9) および前記第１および第２出口ポート(13),(14) から９０°の角度間隔を置いて前記ケーシング(5) の内孔に開口させ、前記第１接続ポート(17)を前記本フィルタ(2) の一端(21)に接続し、前記第２接続ポート(18)を前記本フィルタ(2) の他端(22)に接続し、さらに、前記弁体(4) に第１、第２、第３および第４連通路(24)〜(27)を形成し、前記ケーシング(5) の第１軸方向位置(X1)において、前記第１連通路(24)の一端(28)および他端(29)を互いに９０°の角度間隔を置いて前記弁体(4) の外周面に開口させ、前記ケーシング(5) の第２軸方向位置(X2)において、前記第２連通路(25)の一端(30)を前記第１連通路(24)の他端(29)の開口位置に対応する角度位置で前記弁体(4) の外周面に開口させ、さらに、前記第２連通路(25)の他端(31)を前記後処理フィルタ(3) の一端(32)に連通させるとともに、前記第３連通路(26)の一端(33)を前記後処理フィルタ(3) の他端(34)に連通させ、前記第２軸方向位置(X2)において、前記第３連通路(26)の他端(35)を前記第１連通路(24)の一端(28)の開口位置から１８０°の角度間隔を置いて前記弁体(4) の外周面に開口させ、前記第１軸方向位置(X1)において、前記第４連通路(27)の一端(36)を前記第１連通路(24)の一端(28)の開口位置から１８０°の角度間隔を置いて前記弁体(4) の外周面に開口させ、前記第４連通路(27)の他端(37)を前記第１連通路(24)の他端(29)の開口位置から１８０°の角度間隔を置いて前記弁体(4) の外周面に開口させ、さらに、前記ケーシング(5) の端壁に第４出口ポート(38)を形成し、前記第４連通路(27)と前記第４出口ポート(38)を互いに連通させ、前記ケーシング(5) を前記水道水栓パイプ(1) に取り付け、前記水道水栓パイプ(1) の水道水が前記第１入口ポート(8) 、前記第１連通路(24)および前記第１接続ポート(17)を通り、前記本フィルタ(2) に導かれ、前記第２接続ポート(18)および前記第２連通路(25)を通り、前記後処理フィルタ(3) に導かれ、前記本フィルタ(2) および前記後処理フィルタ(3) によって前記水道水が浄化され、その浄水が前記第３連通路(26)および前記第２出口ポート(14)に導かれ、排出され、前記本フィルタ(2) が洗浄されると���、前記水道水栓パイプ(1) の水道水が前記第２入口ポート(9) および前記第２連通路(25)を通り、前記後処理フィルタ(3) に導かれ、前記第３連通路(26)および第２接続ポート(18)を通り、前記本フィルタ(2) に導かれ、前記第１接続ポート(17)、第４連通路(27)および第１出口ポート(13)を通り、排出され、前記後処理フィルタ(3) が洗浄されるとき、前記水道水栓パイプ(1) の水道水が前記第２入口ポート(9) および第３連通路(26)を通り、前記後処理フィルタ(3) に導かれ、前記第２連通路(25)および前記第３出口ポート(23)を通り、排出されるようにしたことを特徴とする浄水器。
【発明の詳細な説明】
【０００１】
【産業上の利用分野】
この発明は、水道水栓パイプの水道水を本フィルタに通し、後処理フィルタに導き、本フィルタおよび後処理フィルタによって水道水を浄化する浄水器に関するものである。
【０００２】
【従来技術とその問題点】
図１４は従来の浄水器を示す。この浄水器は水道水栓パイプの水道水を浄化するためのもので、本フィルタＡおよび後処理フィルタＢを有し、本フィルタＡは後処理フィルタＢに連結され、接続されている。そして、これが床面または他の設置場所に設置され、切り換えコックＣが水道水栓パイプに取り付けられ、ホースＤによって切り換えコックＣと本フィルタＡが接続される。後処理フィルタＢは浄水を排出する浄水管Ｅを有する。したがって、水道水栓パイプの水道水が切り換えコックＣおよびホースＤを通り、本フィルタＡおよび後処理フィルタＢに導かれ、本フィルタＡおよび後処理フィルタＢによって水道水が浄化され、その浄水が浄水管Ｅから排出される。切り換えコックＣによって水道水の流路を切り換え、水道水をホースＤ、本フィルタＡおよび後処理フィルタＢに通さず、切り換えコックＣから排出することもできる。
【０００３】
この浄水器の場合、たとえば、本フィルタＡの濾過材としてイオン交換樹脂または活性炭を使用し、イオン交換樹脂または活性炭によって水道水を浄化し、良質の浄水を得ることができる。さらに、後処理フィルタＢの濾過材に中空糸または活性炭成型品を使用し、本フィルタＡによって水道水が浄化された後、中空糸または活性炭成型品によって雑菌や細かい粒子を除去することができる。
【０００４】
ところで、この浄水器の本フィルタＡについては、水道水の水藻、ゴミおよび鉄さびによって本フィルタＡが汚れ、本フィルタＡに雑菌がわきやすく、これを頻繁に洗浄することが好ましい。後処理フィルタＢも同様であり、これを頻繁に洗浄することが好ましい。しかしながら、本フィルタＡおよび後処理フィルタＢを頻繁に洗浄することは事実上困難であり、その汚れに対処することができないという問題がある。
【０００５】
なお、洗浄の問題については、図１５に示す形式の浄水器も一般に使用されているが、この浄水器に洗浄の問題はない。この浄水器は２本のホースＦ，Ｇを有する。そして、ホースＦ，Ｇによって切り換えコックＣと本フィルタＡが接続され、水道水栓パイプの水道水がホースＦを通り、本フィルタＡに導かれ、本フィルタＡによって水道水が浄化され、その浄水がホースＧを通り、切り換えコックＣに戻され、排出される。この浄水器の場合、切り換えコックＣによって水道水の流路を切り換えると、水道水をホースＧに通し、本フィルタＡを逆流させ、ホースＦに通し、切り換えコックＣに戻し、排出することができる。したがって、水道水の逆流によって本フィルタＡを洗浄することができ、これを頻繁に洗浄することができる。しかしながら、図１４の浄水器と異なり、図１４の浄水器に後処理フィルタＢはなく、本フィルタＡによって水道水が浄化された後、中空糸または活性炭成型品によって雑菌や細かい粒子を除去することはできない。
【０００６】
これに関連し、図１６に示すように、本フィルタＡを後処理フィルタＢに連結し、接続した浄水器において、ホースＦによって切り換えコックＣと本フィルタＡを接続し、ホースＧによって後処理フィルタＢと切り換えコックＣを接続することも考えられる。この場合、水道水栓パイプの水道水を切り換えコックＣおよびホースＦに通し、本フィルタＡおよび後処理フィルタＢに導き、本フィルタＡおよび後処理フィルタＢによって水道水を浄化し、その浄水をホースＧに通し、切り換えコックＣに戻し、排出することができる。そして、切り換えコックＣによって水道水の流路を切り換えると、水道水を切り換えコックＣおよびホースＧに通し、後処理フィルタＢおよび本フィルタＡに逆流させ、ホースＦに通し、切り換えコックＣに戻し、排出することもできる。しかしながら、それで洗浄の問題が解決するわけではない。水道水を後処理フィルタＢおよび本フィルタＡに逆流させても、後処理フィルタＢによって水道水が汚れ、それが本フィルタＡに導かれるだけである。本フィルタＡおよび後処理フィルタＢを個別に洗浄することはできず、意味はない。
【０００７】
したがって、これまで、洗浄に水道水の逆流を使用することができるのは後処理フィルタＢのない浄水器に限られていたものである。後処理フィルタＢのある浄水器については、後処理フィルタＢの中空糸または活性炭成型品によって雑菌や細かい粒子を除去することはできるが、水道水の逆流によって本フィルタＡおよび後処理フィルタＢを洗浄することはできず、これが後処理フィルタＢのある浄水器の欠点であった。
【０００８】
さらに、後処理フィルタＢのある浄水器の場合、本フィルタＡの濾過材はともかく、後処理フィルタＢの濾過材を頻繁に交換する必要があるが、本フィルタＡおよび後処理フィルタＢが床面または他の設置場所に設置されるとき、それは限られたスペースに設置されることが多い。したがって、限られたスペースで後処理フィルタＢの濾過材を交換せねばならず、その作業は面倒であり、容易ではない。
【０００９】
【発明の目的】
したがって、この発明は、水道水栓パイプの水道水を本フィルタに通し、後処理フィルタに導き、本フィルタおよび後処理フィルタによって水道水を浄化する浄水器において、前記従来の問題を解決し、水道水を本フィルタおよび後処理フィルタに逆流させ、本フィルタおよび後処理フィルタを個別に洗浄することができるようにすること、および後処理フィルタの濾過材を容易に交換することができるようにすることを目的としてなされたものである。
【００１０】
【発明の構成】
この発明によれば、水道水栓パイプの水道水を本フィルタに通し、後処理フィルタに導き、前記本フィルタおよび前記後処理フィルタによって前記水道水を浄化する浄水器であって、前記後処理フィルタと一体の円筒状の弁体を水平に配置されるケーシングの内孔に挿入するとともに、前記ケーシングに第１および第２軸方向位置を選定し、前記ケーシングの第１軸方向位置において、その上壁に第１入口ポートを形成し、下壁に第１出口ポートを形成し、前記ケーシングの第２軸方向位置において、その上壁に第２入口ポートを形成し、下壁に第２出口ポートを形成し、前記第１および第２入口ポートと前記第１および第２出口ポートを互いに１８０°の角度間隔を置いて前記ケーシングの内孔に開口させ、さらに、前記ケーシングの第１軸方向位置において、その一側壁に第１接続ポートを形成し、前記ケーシングの第２軸方向位置において、その一側壁に第２接続ポートを形成し、他側壁に第３出口ポートを形成し、前記第１および第２接続ポートおよび前記第３出口ポートを前記第１および第２入口ポートおよび前記第１および第２出口ポートから９０°の角度間隔を置いて前記ケーシングの内孔に開口させ、前記第１接続ポートを前記本フィルタの一端に接続し、前記第２接続ポートを前記本フィルタの他端に接続し、さらに、前記弁体に第１、第２、第３および第４連通路を形成し、前記ケーシングの第１軸方向位置において、前記第１連通路の一端および他端を互いに９０°の角度間隔を置いて前記弁体の外周面に開口させ、前記ケーシングの第２軸方向位置において、前記第２連通路の一端を前記第１連通路の他端の開口位置に対応する角度位置で前記弁体の外周面に開口させ、さらに、前記第２連通路の他端を前記後処理フィルタの一端に連通させるとともに、前記第３連通路の一端を前記後処理フィルタの他端に連通させ、前記第２軸方向位置において、前記第３連通路の他端を前記第１連通路の一端の開口位置から１８０°の角度間隔を置いて前記弁体の外周面に開口させ、前記第１軸方向位置において、前記第４連通路の一端を前記第１連通路の一端の開口位置から１８０°の角度間隔を置いて前記弁体の外周面に開口させ、前記第４連通路の他端を前記第１連通路の他端の開口位置から１８０°の角度間隔を置いて前記弁体の外周面に開口させ、さらに、前記ケーシングの端壁に第４出口ポートを形成し、前記第４連通路と前記第４出口ポートを互いに連通させ、前記ケーシングを前記水道水栓パイプに取り付け、前記水道水栓パイプの水道水が前記第１入口ポート、前記第１連通路および前記第１接続ポートを通り、前記本フィルタに導かれ、前記第２接続ポートおよび前記第２連通路を通り、前記後処理フィルタに導かれ、前記本フィルタおよび前記後処理フィルタによって前記水道水が浄化され、その浄水が前記第３連通路および前記第２出口ポートに導かれ、排出され、前記本フィルタが洗浄されるとき、前記水道水栓パイプの水道水が前記第２入口ポートおよび前記第２連通路を通り、前記後処理フィルタに導かれ、前記第３連通路および第２接続ポートを通り、前記本フィルタに導かれ、前記第１接続ポート、第４連通路および第１出口ポートを通り、排出され、前記後処理フィルタが洗浄されるとき、前記水道水栓パイプの水道水が前記第２入口ポートおよび第３連通路を通り、前記後処理フィルタに導かれ、前記第２連通路および前記第３出口ポートを通り、排出されるようにしたことを特徴とする浄水器が提供される。
【００１１】
【実施例の説明】
以下、この発明の実施例を示す。
【００１２】
図１において、この浄水器は水道水栓パイプ１の水道水を浄化するためのものであり、本フィルタ２および後処理フィルタ３を有し、本フィルタ２は床面または他の設置場所に設置される。さらに、図２に示すように、この浄水器は弁体４およびケーシング５を有する。弁体４は後処理フィルタ３と一体のもので、円筒状であり、ケーシング５の内孔に挿入され、ケーシング５は水平に配置されている。
【００１３】
後処理フィルタ３はカートリッジ式のもので、弁体４にねじ合わされ、取り外し可能に取り付けられている。これによって後処理フィルタ３と弁体４が一体化されているものであり、濾過材はカートリッジに充填されている。したがって、後処理フィルタ３を弁体４から取り外し、カートリッジを後処理フィルタ３から取り出し、新しいカートリッジと交換し、これによって後処理フィルタ３の濾過材を交換することができる。
【００１４】
ケーシング５はゴムパッキン６およびピン７を有する。ゴムパッキン６は弁体４とケーシング５をシールするためのものである。さらに、ケーシング５のピン７が弁体４の外周みぞにはめ込まれており、ピン７によって弁体４が案内され、弁体４はその軸心のまわりを回転することができるが、ケーシング５から抜けない。
【００１５】
さらに、ケーシング５に第１および第２軸方向位置Ｘ１，Ｘ２が選定され、ケーシング５の第１軸方向位置Ｘ１において、その上壁に第１入口ポート８が形成され、ケーシング５の第２軸方向位置Ｘ２において、その上壁に第２入口ポート９が形成されている。さらに、水道水栓パイプ１の先端のまわりにおいて、取付カバー１０がケーシング５のねじみぞにねじ合わされ、取付カバー１０によってケーシング５と水道水栓パイプ１が取り付けられ、ゴムパッキン１１によってそれがシールされており、第１および第２入口ポート８，９は連通孔１２および水道水栓パイプ１に連通する。
【００１６】
さらに、ケーシング５の第１軸方向位置Ｘ１において、その下壁に第１出口ポート１３が形成され、ケーシング５の第２軸方向位置Ｘ２において、その下壁に第２出口ポート１４が形成されている。そして、第１および第２入口ポート８，９と第１および第２出口ポート１３，１４が互いに１８０°の角度間隔を置いてケーシング５の内孔に開口している。さらに、排出ヘッド１５がケーシング５のねじみぞにねじ合わされており、第１および第２出口ポート１３，１４は排出ヘッド１５の中央孔１６に連通する。さらに、図３に示すように、ケーシング５の第１軸方向位置Ｘ１において、その一側壁に第１接続ポート１７が形成され、ケーシング５の第２軸方向位置Ｘ２において、その一側壁に第２接続ポート１８が形成されており、第１および第２接続ポート１７，１８が第１および第２入口ポート８，９および第１および第２出口ポート１３，１４から９０°の角度間隔を置いてケーシング５の内孔に開口している。さらに、ケーシング５の一側壁にニブル１９が設けられ、２本のホース２０によってニブル１９と本フィルタ２が接続されており、第１接続ポート１７は一方のホース２０に接続され、本フィルタ２の一端２１に接続されている。第２接続ポート１８は他方のホース２０に接続され、本フィルタ２の他端２２に接続されている。
【００１７】
この他、ケーシング５の第２軸方向位置Ｘ２において、その他側壁に第３出口ポート２３が形成され、第３出口ポート２３が第１および第２入口ポート８，９および第１および第２出口ポート１３，１４から９０°の角度間隔を置いてケーシング５の内孔に開口している。第１および第２出口ポート１３，１４と同様、第３出口ポート２３も排出ヘッド１５の中央孔１６に連通する。
【００１８】
さらに、弁体４に第１、第２、第３および第４連通路２４，２５，２６，２７が形成されており、第１連通路２４については、ケーシング５の第１軸方向位置Ｘ１において、第１連通路２４の一端２８および他端２９が互いに９０°の角度間隔を置いて弁体４の外周面に開口している。第２連通路２５については、ケーシング５の第２軸方向位置Ｘ２において、第２連通路２５の一端３０が第１連通路２４の他端２９の開口位置に対応する角度位置で弁体４の外周面に開口している。さらに、第２連通路２５の他端３１が後処理フィルタ３の一端３２に連通しており、第３連通路２６については、その一端３３が後処理フィルタ３の他端３４に連通し、第２軸方向位置Ｘ２において、第３連通路２６の他端３５が第１連通路２４の一端２８の開口位置から１８０°の角度間隔を置いて弁体４の外周面に開口している。
【００１９】
第４連通路２７については、第１軸方向位置Ｘ１において、第４連通路２７の一端３６が第１連通路２４の一端２８の開口位置から１８０°の角度間隔を置いて弁体４の外周面に開口し、他端３７は第１連通路２４の他端２９の開口位置から１８０°の角度間隔を置いて弁体４の外周面に開口している。さらに、ケーシング５の端壁に第４出口ポート３８が形成され、第４連通路２７と第４出口ポート３８が互いに連通している。
【００２０】
なお、この実施例では、後処理フィルタ３および弁体４がＬ字状をなし、後処理フィルタ３は弁体４に対し直角にのびる。したがって、後処理フィルタ３を弁体４の軸心のまわりに回転させ、後処理フィルタ３によって弁体４を駆動し、回転させることができる。さらに、弁体４とケーシング５間にボール３９およびスプリング４０が設けられ、複数のくぼみ４１が互いに９０°の角度間隔を置いてケーシング５の端面に形成され、スプリング４０によってボール３９が弾性付勢され、これがケーシング５のくぼみ４１にはめ込まれている。したがって、弁体４が９０°の角度だけ回転する毎に、そのボール３９が各くぼみ４１にはめ込まれ、これによって弁体４の角度位置を確認することができる。
【００２１】
したがって、この浄水器において、後処理フィルタ３を弁体４の軸心のまわりに回転させると、後処理フィルタ３によって弁体４が駆動され、弁体４がケーシング５の内孔内で回転する。そして、後処理フィルタ３および弁体４を図１、図２および図３の角度位置まで回転させると、弁体４のボール３９がケーシング５のくぼみ４１にはめ込まれ、これによって弁体４の角度位置を確認することができる。さらに、弁体４の第１、第２、第３および第４連通路２４，２５，２６，２７のうち、その第１、第２および第３連通路２４，２５，２６が水路として使用され、ケーシング５の第１軸方向位置Ｘ１において、第１連通路２４の一端２８がケーシング５の第１入口ポート８に合致し、連通し、他端２９がケーシング５の第１接続ポート１７に合致し、連通する。さらに、ケーシング５の第２軸方向位置Ｘ２において、第２連通路２５の一端３０がケーシング５の第２接続ポート１８に合致し、連通し、第３連通路２６の他端３５が第２出口ポート１４に合致し、連通する。
【００２２】
したがって、水道水栓パイプ１の水道水がケーシング５の連通孔１２を通り、第１入口ポート８、第１連通路２４および第１接続ポート１７を通り、一方のホース２０を通り、本フィルタ２に導かれ、その一端２１に入り、他端２２から排出される。その後、その水道水が他方のホース２０を通り、第２接続ポート１８および第２連通路２５を通り、後処理フィルタ３に導かれ、その一端３２に入り、他端３４から排出される。したがって、本フィルタ２および後処理フィルタ３によって水道水が浄化され、その浄水が第３連通路２６および第２出口ポート１４に導かれ、排出ヘッド１５の中央孔１６から排出される。
【００２３】
したがって、たとえば、本フィルタ２の濾過材にイオン交換樹脂または活性炭を使用し、イオン交換樹脂または活性炭によって水道水を浄化し、良質の浄水を得ることができる。さらに、後処理フィルタ３の濾過材に中空糸または活性炭成型品を使用し、本フィルタ２によって水道水が浄化された後、中空糸または活性炭成型品によって雑菌や細かい粒子を除去することができる。
【００２４】
さらに、図５、図６および図７に示すように、後処理フィルタ３を図１の角度位置から９０°の角度だけ回転させ、横倒しの状態にすると、弁体４も図１の角度位置から９０°の角度だけ回転し、弁体４のボール３９がケーシング５のくぼみ４１にはめ込まれる。さらに、弁体４の第４連通路２７が水路として使用され、ケーシング５の第１軸方向位置Ｘ１において、第４連通路２７の他端３７がケーシング５の第１入口ポート８に合致し、連通する。
【００２５】
したがって、水道水栓パイプ１の水道水が第１入口ポート８および第４連通路２７を通り、第４出口ポート３８を通り、排出ヘッド１５の中央孔１６から排出される。したがって、水道水栓パイプ１の水道水を本フィルタ２および後処理フィルタ３に通さず、そのまま排出することができる。
【００２６】
さらに、図８、図９および図１０に示すように、後処理フィルタ３を図１の角度位置から逆方向に回転させ、９０°の角度だけ回転させると、弁体４も図１の角度位置から９０°の角度だけ回転し、弁体４のボール３９がケーシング５のくぼみ４１にはめ込まれる。さらに、弁体４の第２、第３および第４連通路２５，２６，２７が水路として使用され、ケーシング５の第１軸方向位置Ｘ１において、第４連通路２７の一端３６がケーシング５の第１接続ポート１７に合致し、連通し、他端３７がケーシング５の第１出口ポート１３に合致し、連通する。さらに、ケーシング５の第２軸方向位置Ｘ２において、第２連通路２５の一端３０がケーシング５の第２入口ポート９に合致し、連通し、第３連通路２６の他端３５がケーシング５の第２接続ポート１８に合致し、連通する。
【００２７】
したがって、水道水栓パイプ１の水道水が第２入口ポート９および第２連通路２５を通り、後処理フィルタ３に導かれ、その一端３２に入り、他端３４から排出される。さらに、その水道水が第３連通路２６、第２接続ポート１８およびホース２０を通り、本フィルタ２に導かれ、その他端２２に入り、一端２１から排出される。したがって、水道水が本フィルタ２を逆流するものである。さらに、その水道水がホース２０、第１接続ポート１７、第４連通路２７および第１出口ポート１３を通り、排出ヘッド１５の中央孔１６から排出される。したがって、水道水の水藻、ゴミおよび鉄さびによって本フィルタ２が汚れたとき、水道水栓パイプ１の水道水を本フィルタ２に逆流させ、その逆流によって本フィルタ２を洗浄することができる。
【００２８】
なお、水道水栓パイプ１の水道水が本フィルタ２に導かれる前、それが後処理フィルタ３に導かれるが、図１６の浄水器と異なり、水道水は後処理フィルタ３を逆流するわけではなく、その一端３２に入り、他端３４から排出される。したがって、後処理フィルタ３によって水道水が浄化され、それが本フィルタ２に導かれ、本フィルタ２を逆流するものである。したがって、本フィルタ２を的確に洗浄することができ、好ましい。
【００２９】
さらに、図１１、図１２および図１３に示すように、後処理フィルタ３および弁体４を図１の角度位置から１８０°の角度にわたって回転させると、弁体４のボール３９がケーシング５のくぼみ４１にはめ込まれる。さらに、弁体４の第２および第３連通路２５，２６が水路として使用され、ケーシング５の第２軸方向位置Ｘ２において、第２連通路２５の一端３０がケーシング５の第３出口ポート２３に合致し、連通し、第３連通路２６の他端３５がケーシング５の第２入口ポート９に合致し、連通する。
【００３０】
したがって、水道水栓パイプ１の水道水が第２入口ポート９および第３連通路２６を通り、後処理フィルタ３に導かれ、その他端３４に入り、一端３２から排出される。したがって、水道水が後処理フィルタ３を逆流するものである。さらに、その水道水が第２連通路２５および第３出口ポート２３を通り、排出ヘッド１５の中央孔１６から排出される。したがって、水道水の逆流によって後処理フィルタ３を洗浄することができる。
【００３１】
したがって、この浄水器の場合、水道水を本フィルタ２および後処理フィルタ３に逆流させ、本フィルタ２および後処理フィルタ３を個別に洗浄することができる。洗浄後、汚れた水道水は排出ヘッド１５の中央孔１６から排出され、それが本フィルタ２または後処理フィルタ３に導かれることはなく、問題はない。しかも、後処理フィルタ３によって弁体４を回転させるだけでよく、それによって本フィルタ２および後処理フィルタ３を洗浄することができ、その操作は簡単である。本フィルタ２および後処理フィルタ３を頻繁に洗浄することもできる。
【００３２】
さらに、この浄水器の後処理フィルタ３については、その濾過材を周期的に交換する必要があるが、水道水栓パイプ１によってケーシング５、弁体４および後処理フィルタ３が支持されており、水道水栓パイプ１のまわりで後処理フィルタ３の濾過材を交換することができる。まず、水道水栓パイプ１のまわりで後処理フィルタ３を操作し、これを弁体４から取り外す。次いで、カートリッジを後処理フィルタ３から取り出し、新しいカートリッジと交換する。その後、後処理フィルタ３を弁体４に取り付ければよく、その作業は容易である。
【００３３】
【発明の効果】
以上説明したように、この発明によれば、水道水を本フィルタ２および後処理フィルタ３に逆流させ、本フィルタ２および後処理フィルタ３を個別に洗浄することができる。洗浄後、汚れた水道水は排出ヘッド１５の中央孔１６から排出され、それが本フィルタ２または後処理フィルタ３に導かれることはなく、問題はない。しかも、後処理フィルタ３によって弁体４を回転させるだけでよく、それによって本フィルタ２および後処理フィルタ３を洗浄することができ、その操作は簡単である。本フィルタ２および後処理フィルタ３を頻繁に洗浄することもできる。さらに、後処理フィルタ３の濾過材を周期的に交換するとき、水道水栓パイプ１のまわりで後処理フィルタ３を操作し、その濾過材を交換することができ、その作業は容易であり、所期の目的を達成することができるものである。
【図面の簡単な説明】
【図１】この発明の実施例を示す斜視図である。
【図２】図１の浄水器の縦断面図である。
【図３】図２のＸ１−Ｘ１およびＸ２−Ｘ２横断面図である。
【図４】図１の弁体の側面図である
【図５】図１の後処理フィルタおよび弁体を９０°の角度だけ回転させた状態を示す斜視図である。
【図６】図５の浄水器の縦断面図である。
【図７】図６のＸ１−Ｘ１およびＸ２−Ｘ２横断面図である。
【図８】図１の後処理フィルタおよび弁体を逆方向に回転させた状態を示す斜視図である。
【図９】図８の浄水器の縦断面図である。
【図１０】図９のＸ１−Ｘ１およびＸ２−Ｘ２横断面図である。
【図１１】図１の後処理フィルタおよび弁体を１８０°の角度にわたって回転させた状態を示す斜視図である。
【図１２】図１１の浄水器の縦断面図である。
【図１３】図１２のＸ１−Ｘ１およびＸ２−Ｘ２横断面図である。
【図１４】従来の浄水器の説明図である。
【図１５】他の浄水器の説明図である。
【図１６】他の浄水器の説明図である。
【符号の説明】
１  水道水栓パイプ
２  本フィルタ
３  後処理フィルタ
４  弁体
５  ケーシング
８  第１入口ポート
９  第２入口ポート
１３  第１出口ポート
１４  第２出口ポート
１７  第１接続ポート
１８  第２接続ポート
２３  第３出口ポート
２４  第１連通路
２５  第２連通路
２６  第３連通路
２７  第４連通路
３８  第４出口ポート
【図１】
0004077564.tif 000002
【図２】
0004077564.tif 000003
【図３】
0004077564.tif 000004
【図４】
0004077564.tif 000005
【図５】
0004077564.tif 000006
【図６】
0004077564.tif 000007
【図７】
0004077564.tif 000008
【図８】
0004077564.tif 000009
【図９】
0004077564.tif 000010
【図１０】
0004077564.tif 000011
【図１１】
0004077564.tif 000012
【図１２】
0004077564.tif 000013
【図１３】
0004077564.tif 000014
【図１４】
0004077564.tif 000015
【図１５】
0004077564.tif 000016
【図１６】
0004077564.tif 000017